(57)【要約】【課題】意匠性に優れる手摺を容易に施工することができる手摺部材の提供【解決手段】  本発明の手摺３００は、階段のコーナー部に用いる手摺であって、軸方向に直交する断面の輪郭線形状が略長方形である棒状本体部１１０を備え、棒状本体部１１０の少なくとも一方の端部に他の手摺部材との接続面部１１１を備える第１手摺部材１００と、軸方向に直交する断面の輪郭線形状が第１手摺部材１００の輪郭線形状と略同一である棒状本体部２１０を備える第２手摺部材２００とを、第１手摺部材１００の接続面部１１１と、第２手摺部材２００の端部側面２１１とが対向し、第１手摺部材１００の接続面部１１１の上辺１１１ａと、第２手摺部材２００の端部側面２１１の上辺２１１ａとが略平行であり、鉛直方向の位置が略同一となるように配置している。【選択図】  図４
2019007243.tif 000002
【特許請求の範囲】
【請求項１】
階段のコーナー部に用いる手摺であって、
軸方向に直交する断面の輪郭線形状が略長方形である棒状本体部を備え、前記棒状本体部の少なくとも一方の端部に他の手摺部材との接続面部を備える第１手摺部材と、
軸方向に直交する断面の輪郭線形状が前記第１手摺部材の前記輪郭線形状と略同一である棒状本体部を備える第２手摺部材とを、
前記第１手摺部材の接続面部と、前記第２手摺部材の端部側面とが対向し、前記第１手摺部材の接続面部の上辺と、前記第２手摺部材の端部側面の上辺とが略平行であり、鉛直方向の位置が略同一となるように配置した、
手摺。
【請求項２】
前記第２手摺部材が、上面が水平である水平部を備え、
前記第１手摺部材および前記第２手摺部材の少なくとも一方が、前記水平部の上面に対して傾斜した上面を有する傾斜部を備える、
請求項１に記載の手摺。
【請求項３】
前記第１手摺部材の前記接続面部の少なくとも一方が、前記棒状本体部の軸方向に対して傾斜した法線を有し、前記棒状本体部の軸方向に直交する断面と略同一の輪郭線形状を有する傾斜面部を備え、前記傾斜面部と、前記第２手摺部材の端部側面とが対向するように配置した、
請求項１または２に記載の手摺。
【請求項４】
前記第１手摺部材が、前記接続面部の上辺を含む第１水平上面を備え、前記第２手摺部材が、前記端部側面の上辺を含む第２水平上面を備える、
請求項１から３までのいずれかに記載の手摺。
【請求項５】
さらに、前記第１手摺部材の接続面部と、前記第２手摺部材の端部側面との位置を調整する、位置調整治具を備え、
前記位置調整治具が、前記第１手摺部材の接続面部または第２手摺部材の端部側面に接続される縦板部と、前記第２手摺部材の端部側面の下辺を含む第２水平下面または前記第１手摺部材の接続面部の下辺を含む第１水平下面に接続される横板部とを備える、
請求項１から４までのいずれかに記載の手摺。
【請求項６】
前記位置調整治具により、前記第１手摺部材と前記第２手摺部材とを固定した、
請求項５に記載の手摺。
【請求項７】
前記縦板部の上辺の鉛直方向の位置と、前記第１手摺部材の接続面部の上辺または前記第２手摺部材の端部側面の上辺の鉛直方向の位置との差が、１．０〜３．０ｍｍである、
請求項５または６に記載の手摺。
【請求項８】
前記第２手摺部材の端部側面の下辺を含む第２水平下面が、前記位置調整治具を収容する切欠部を備える、
請求項５から７までのいずれかに記載の手摺。
【請求項９】
請求項５から８までのいずれかに記載の手摺を製造する方法であって、
前記縦板部を、前記第１手摺部材の接続面部に固定するステップ、および、
前記横板部を、前記第２手摺部材の端部側面の下辺を含む第２水平下面に固定するステップを備える、
手摺の製造方法。
【請求項１０】
請求項５から８までのいずれかに記載の手摺を製造する方法であって、
前記縦板部を、前記第２手摺部材の端部側面に固定するステップ、および、
前記横板部を、前記第１手摺部材の接続面部の下辺を含む第１水平下面に固定するステップを備える、
手摺の製造方法。
【発明の詳細な説明】
【技術分野】
【０００１】
本発明は、手摺およびその製造方法に関する。
【背景技術】
【０００２】
従来、複数の手摺部材を接続して階段の壁面に手摺を施工する際には、接続するそれぞれの手摺部材の端部に一定の傾斜角の傾斜面を設けて、その傾斜面同士を当接した状態で固定することが行われている。
【０００３】
特許文献１には、一方の手摺部材の端部を半円状の凸部断面とし、他方の手摺部材の端部を半円状の凹部断面とし、手摺部材同士の角度を調整可能にした手摺笠木が開示されている。また、特許文献２および特許文献３には、手摺部材の端部同士を接続する連結部材（エンドキャップ）が開示されている。
【先行技術文献】
【特許文献】
【０００４】
【特許文献１】特開平７−１３９１１５号公報
【特許文献２】特開２０１０−４８００６号公報
【特許文献３】特開２００８−１８００６７号公報
【発明の概要】
【発明が解決しようとする課題】
【０００５】
特許文献１の発明は、手摺部材同士の角度を調整可能にするために、一方の手摺部材の端部を半円状の凸状断面、他方の手摺部材の端部を半円状の凹状断面としており、加工が困難であり、生産性に劣る。そればかりか、半円状の凹状断面の端部は、その先端が欠けるおそれがある。また、その接続角度によっては、凸状断面の端部の曲面の一部が露出して、意匠性を劣化させるおそれがある。
【０００６】
特許文献２および特許文献３のように、手摺部材の端部同士を接続する連結部材（エンドキャップ）を用いれば、接続箇所を隠すことができるものの、金属や樹脂などで製造された異質な材料で固定することになり、見栄えが悪い。特に、天然木の集成材や無垢材を用いた手摺部材の場合、意匠性を著しく劣化させる。
【０００７】
このように、従来技術においては、施工現場において手摺部材同士の接続角度を調整可能にするために様々な工夫がなされているが、いずれも意匠性を劣化させるものであった。一方で、現在の内装材については、プレカット技術が進んでおり、階段の設計と同時に手摺の設計も行われるため、施工現場での調整よりも、意匠性の向上と、施工現場での施工性の向上への要求が強くなってきている。また、手摺の施工後に壁紙の施工や荷物の搬入などのために、手摺を一時的に外したいという要望があり、着脱が容易な構成であることも求められている。
【０００８】
本発明は、複雑な加工を伴わずに部材を形成することができ、階段のコーナー部において設置角度が異なる手摺部材同士の接続が容易であり、しかも、意匠性に優れる手摺およびその製造方法を提供することを目的としている。
【課題を解決するための手段】
【０００９】
本発明者らは、上記の目的を達成するべく、階段のコーナー部において設置角度が異なる手摺部材同士の接続を容易にする技術について鋭意研究を重ねた結果、本発明を完成させた。本発明は、下記の手摺およびその製造方法を要旨とする。
【００１０】
（１）階段のコーナー部に用いる手摺であって、
軸方向に直交する断面の輪郭線形状が略長方形である棒状本体部を備え、前記棒状本体部の少なくとも一方の端部に他の手摺部材との接続面部を備える第１手摺部材と、
軸方向に直交する断面の輪郭線形状が前記第１手摺部材の前記輪郭線形状と略同一である棒状本体部を備える第２手摺部材とを、
前記第１手摺部材の接続面部と、前記第２手摺部材の端部側面とが対向し、前記第１手摺部材の接続面部の上辺と、前記第２手摺部材の端部側面の上辺とが略平行であり、鉛直方向の位置が略同一となるように配置した、
手摺。
【００１１】
（２）前記第２手摺部材が、上面が水平である水平部を備え、
前記第１手摺部材および前記第２手摺部材の少なくとも一方が、前記水平部の上面に対して傾斜した上面を有する傾斜部を備える、
上記（１）の手摺。
【００１２】
（３）前記第１手摺部材の前記接続面部の少なくとも一方が、前記棒状本体部の軸方向に対して傾斜した法線を有し、前記棒状本体部の軸方向に直交する断面と略同一の輪郭線形状を有する傾斜面部を備え、前記傾斜面部と、前記第２手摺部材の端部側面とが対向するように配置した、
上記（１）または（２）の手摺。
【００１３】
（４）前記第１手摺部材が、前記接続面部の上辺を含む第１水平上面を備え、前記第２手摺部材が、前記端部側面の上辺を含む第２水平上面を備える、
上記（１）〜（３）のいずれかの手摺。
【００１４】
（５）さらに、前記第１手摺部材の接続面部と、前記第２手摺部材の端部側面との位置を調整する、位置調整治具を備え、
前記位置調整治具が、前記第１手摺部材の接続面部または第２手摺部材の端部側面に接続される縦板部と、前記第２手摺部材の端部側面の下辺を含む第２水平下面または前記第１手摺部材の接続面部の下辺を含む第１水平下面に接続される横板部とを備える、
上記（１）〜（４）のいずれかの手摺。
【００１５】
（６）前記位置調整治具により、前記第１手摺部材と前記第２手摺部材とを固定した、
上記（５）の手摺。
【００１６】
（７）前記縦板部の上辺の鉛直方向の位置と、前記第１手摺部材の接続面部の上辺または前記第２手摺部材の端部側面の上辺の鉛直方向の位置との差が、１．０〜３．０ｍｍである、
上記（５）または（６）の手摺。
【００１７】
（８）前記第２手摺部材の端部側面の下辺を含む第２水平下面が、前記位置調整治具を収容する切欠部を備える、
上記（５）〜（７）のいずれかの手摺。
【００１８】
（９）上記（５）〜（８）のいずれかの手摺を製造する方法であって、
前記縦板部を、前記第１手摺部材の接続面部に固定するステップ、および、
前記横板部を、前記第２手摺部材の端部側面の下辺を含む第２水平下面に固定するステップを備える、
手摺の製造方法。
【００１９】
（１０）上記（５）〜（８）のいずれかの手摺を製造する方法であって、
前記縦板部を、前記第２手摺部材の端部側面に固定するステップ、および、
前記横板部を、前記第１手摺部材の接続面部の下辺を含む第１水平下面に固定するステップを備える、
手摺の製造方法。
【発明の効果】
【００２０】
本発明の手摺によれば、それに用いられる手摺部材のプレカットによる製造が容易で、かつ階段のコーナー部において設置角度が異なる手摺部材同士の接続が容易である。このため、この手摺部材を用いれば、意匠性に優れる手摺を容易に施工することができる。
【図面の簡単な説明】
【００２１】
【図１】本実施形態に係る手摺に用いる手摺部材を示す模式図である。（ａ）は正面図、（ｂ）は（ａ）の紙面右方向から見た側面図である。
【図２】本実施形態に係る手摺に用いる他の手摺部材を示す模式図である。（ａ）は正面図、（ｂ）は（ａ）の紙面右方向から見た側面図である。
【図３】本実施形態に係る手摺の全体構成の例を示す模式図である。
【図４】本実施形態に係る手摺を示す斜視図である。
【図５】他の実施形態に係る手摺を示す斜視図である。
【図６】他の実施形態に係る手摺を示す斜視図である。
【図７】他の実施形態に係る手摺を示す斜視図である。
【図８】図７に示す手摺の平面図であり、（ａ）は図７のｘ方向から見た部分断面図であり、（ｂ）は図７のｙ方向から見た平面図（第１手摺部材の図示省略）である。
【図９】他の実施形態に手摺の平面図であり、（ａ）は部分断面図であり、（ｂ）は平面図（第１手摺部材の図示省略）である。
【図１０】他の実施形態に手摺の平面図であり、（ａ）は部分断面図であり、（ｂ）は平面図（第１手摺部材の図示省略）である。
【図１１】他の実施形態に手摺の平面図であり、（ａ）は部分断面図であり、（ｂ）は平面図（第１手摺部材の図示省略）である。
【図１２】他の実施形態に手摺の平面図であり、（ａ）は部分断面図であり、（ｂ）は平面図（第１手摺部材の図示省略）である。
【図１３】他の実施形態に手摺の平面図であり、（ａ）は部分断面図であり、（ｂ）は平面図（第１手摺部材の図示省略）である。
【図１４】他の実施形態に手摺の平面図であり、（ａ）は部分断面図であり、（ｂ）は平面図（第１手摺部材の図示省略）である。
【発明を実施するための形態】
【００２２】
本実施形態に係る手摺は、階段のコーナー部において設置角度が異なる手摺部材同士（第１手摺部材および第２手摺部材）を接続したものである。まず、本実施形態に係る手摺に用いることができる手摺部材について説明し、その後、本実施形態に係る手摺およびその製造方法について説明する。
【００２３】
１．本実施形態に係る手摺部材
図１に示すように、本実施形態に係る手摺に用いることができる手摺部材１０は、たとえば、一の方向（図中Ｘの方向）に延びる棒状本体部１１を備えている。棒状本体部１１は、木質材料、たとえば、天然木の集成材または無垢材からなるのがよい。また、棒状本体部１１は、その長さ方向において軸方向Ａ０に垂直な断面の輪郭線形状は略一定であるのがよい。棒状本体部１１は、その両端部１２、１３に接続面部１２ａ、１３ａを有している。ただし、棒状本体部１１は、その少なくとも一方の端部１３に接続面部１３ａを有しておればよい。棒状本体部１１の長さは、備え付け予定の壁面の長さ、位置などの条件に応じて変更可能である。典型的な長さは、５０〜５０００ｍｍである。また、長さは、工場や施工現場において切断して、適切な長さに調整することも可能である。
【００２４】
一方の接続面部１３ａは、棒状本体部１１の軸方向Ａ０に対して傾斜した法線Ａ１を有する傾斜面部である。他方の接続面部１２ａは、軸方向Ａ０に垂直な面で構成される垂直面部である。他方の接続面部１２ａについては、接続面部１３ａと同様の傾斜面部であってもよいが、部品の共通化による製造コスト低減の観点および意匠性の観点からは、図に示す例のように、軸方向Ａ０に垂直な面で構成される垂直面部であることが好ましい。このような構成であれば、垂直面部の長さは、工場や施工現場においても調整可能である。
【００２５】
傾斜面部で構成される接続面部１３ａは、棒状本体部１１の軸方向Ａ０に直交する断面と略同一の輪郭線形状を有している。また、図に示す例では、接続面部１３ａは、他方の接続面部１２とも略同一の輪郭線形状を有している。略同一の輪郭線形状とは、人の手に馴染む形状であれば、制限はないが、例えば、長方形である。このような形状であれば、垂直面部で構成される他方の接続面部１２ａの形状も略同一の輪郭線形状の長方形とすることができる。その結果、傾斜面部で構成される接続面部１３ａを他方の接続面部１２ａと略同一の輪郭線形状とするのが容易になる。なお、長方形のそれぞれの角部に面取り部を備えていてもよい。輪郭線形状が長方形である場合の典型的な寸法は、縦２０〜１００ｍｍ、横２０〜１００ｍｍである。
【００２６】
特に、棒状本体部１１の傾斜面部１３ａを備える端部１３には、傾斜面部１３ａを構成する平面（法線Ａ１を有する平面）が、軸方向Ａ０に対して傾斜した側の側面を内側面１１ａ、その反対側を外側面１１ｂとするとき、傾斜面部１３ａが、内側面１１ａを含む面とおよび外側面１１ｂを含む面との間に設けられていることが好ましい。この構成であれば、手摺として施工したときの意匠性が向上する。また、図２に示すように、他の手摺部材１０は、棒状本体部１１の傾斜面部１３ａを備える端部１３には、端部１３の外側面１１ｂに、傾斜面部１３ａの法線Ａ１と略直角をなす法線Ａ２を有する外側平面部１３ｂを備えるものである。このとき、傾斜面部１３ａと外側平面部１３ｂとは略直角な角部を形成する。法線Ａ１と法線Ａ２と角度は、必ずしも略直角でなくてもよいが、略直角にすれば、他の手摺部材と接続して手摺として施工したときの意匠性が向上する。
【００２７】
手摺部材１０は、屈曲点がある手摺であっても、プレカット加工により自由にその角度調整ができ、かつ部材点数を減らすことができ、しかも意匠性に優れている。よって、手摺部材１０は、例えば、階段用手摺部材に適している。
【００２８】
２．本実施形態に係る手摺
図３に示すように、本実施形態に係る手摺は、例えば、階段の外廻壁に施工される。このとき、例えば、最下位置に、階段の上り角度に沿って、スタート用手摺部材Ｓが設けられ、踊り場の位置で、スタート用手摺部材Ｓには、踊り場面に平行な中間手摺部材Ｃが接続される。なお、スタート手摺部材Ｓの傾斜面部の角度は、階段の上り角度によって設定され、予めプレカット加工されている。
【００２９】
そして、踊り場から更に上る階段部分では、鉛直方向から見たとき、スタート用手摺部材Ｓが設置された第一壁（図示省略）に対して直角に正面壁（図示省略）が施工されており、手摺は、この壁面に施工される。すなわち、踊り場面に平行な方向に手摺部材ＣＳが設けられ、さらに、階段の上り角度に沿って中間手摺部材Ｃが順に接続される。ここで、鉛直方向から見たとき、正面壁（図示省略）に対して直角に第二壁（図示省略）が施工されており、この壁には、手摺部材ＣＳ、中間手摺部材Ｃ、中間手摺部材Ｃおよびエンド用手摺部材Ｅが接続されている。予め複数の手摺部材を接続した後、ブラケットを介して壁面に取り付けても良く、壁面への固定と手摺部材同士の接続を並行して行っても良い。
【００３０】
本実施形態に係る手摺は、階段のコーナー部において設置角度が異なる手摺部材同士、図３に示す例では、手摺部材ＣＳと他の手摺部材（例えば、中間手摺部材Ｃ）とを接続する手摺に適している。以下、より具体的に説明する。
【００３１】
図４に示すように、本実施形態に係る手摺３００は、第１手摺部材１００と第２手摺部材２００とを備える。第１手摺部材１００は、軸方向に直交する断面の輪郭線形状が略長方形である棒状本体部１１０を備え、棒状本体部１１０の少なくとも一方の端部に他の手摺部材との接続面部１１１を備える。第２手摺部材２００は、軸方向に直交する断面の輪郭線形状が第１手摺部材１００の輪郭線形状と略同一である棒状本体部２１０を備える。そして、本実施形態に係る手摺３００においては、第１手摺部材１００の接続面部１１１と、第２手摺部材２００の端部側面２１１とが対向するように配置し、第１手摺部材１００の接続面部１１１の上辺１１１ａと、第２手摺部材２００の端部側面２１１の上辺２１１ａとが略平行であり、鉛直方向の位置が略同一となるように配置している。
【００３２】
なお、第１手摺部材１００の接続面部１１１と、第２手摺部材２００の端部側面２１１とが対向するように配置とは、接続面部１１１と端部側面２１１とが略一定の間隔で向かい合って配置されていることを意味する。接続面部１１１と端部側面２１１との間隔は、０〜２０ｍｍの範囲であることが好ましい。この間隔は、０ｍｍでもよい（接触している）が、０ｍｍ超（接触していない）ことが好ましい。好ましい下限は１ｍｍであり、更に好ましい下限は２ｍｍである。より好ましい上限は１５ｍｍであり、更に好ましい上限は１０ｍｍであり、更に好ましい上限は５ｍｍである。また、後段で説明する位置調整治具などによって接続されていてもよいし、接続されていなくてもよい。
【００３３】
本実施形態に係る手摺３００は、このような構成を有しているので、容易に施工可能であり、接続面を露出させることがなく、また、第１手摺部材１００の上面と第２手摺部材２００の上面とに段差がほとんどないため、意匠性が極めて優れている。
【００３４】
なお、第１手摺部材１００の接続面部１１１の上辺１１１ａと、第２手摺部材２００の端部側面２１１の上辺２１１ａとが略平行であり、鉛直方向の位置が略同一であるだけでなく、第１手摺部材１００の接続面部１１１の側面と、第２手摺部材２００の端部断面とが略同一の平面上にあると、更に、意匠性が向上するので、好ましい。
【００３５】
図４に示す例において、第２手摺部材２００の棒状本体部２１０は、水平部２１０ａと、傾斜部２１０ｂとを備える。水平部２１０ａの上面（第２水平上面２１３）は水平である。傾斜部２１０ｂの上面は、水平部２１０ａの上面に対して傾斜している。これにより、第１手摺部材１００の接続面部１１１の上辺１１１ａと、第２手摺部材２００の端部側面２１１の上辺２１１ａとが略平行であり、鉛直方向の位置が略同一となるように配置しやすくなる。水平部２１０ａの長さＬ（図中ｘ方向の長さ）は、第１手摺部材１００の幅Ｗ（図ｘ方向の長さ）の１．０〜３．０倍の範囲とするのがよい。この範囲であれば、意匠性が優れる。
【００３６】
図４に示す例は、第１手摺部材の接続面部１１１が、軸方向に直交する面で構成されている実施形態であるが、このような実施形態に限られない。すなわち、図５に示すように、第１手摺部材の接続面部１１１が、その棒状本体部１１０の軸方向に対して傾斜した法線を有し、棒状本体部の軸方向に直交する断面と略同一の輪郭線形状を有する傾斜面部１１２を有する構成を有し、接続面部としての傾斜面部１１２と第２手摺部材２００の端部側面２１１とが対向するように配置した構成でもよい。また、図６に示すように、第１手摺部材１００が、接続面部としての傾斜面部１１２の上辺を含む第１水平上面１１３を備え、第２手摺部材が、端部側面２１１の上辺を含む第２水平上面２１３を備える構成でもよい。この構成においては、第１手摺部材１００の第１水平上面１１３と、第２手摺部材２００の第２水平上面２１３とが略平行であり、鉛直方向の位置が略同一となるように配置している。
【００３７】
図７および図８に示すように、他の実施形態に係る手摺４００は、位置調整治具５００を備える。位置調整治具５００は、第１手摺部材１００の接続面部としての傾斜面部１１２と、第２手摺部材２００の端部側面２１１との位置を調整する。位置調整治具５００は、例えば、金属、樹脂などの十分な強度を要する材質のものを用いるのがよい。
【００３８】
縦板部５０１の上辺の鉛直方向の位置と、第１手摺部材１００の接続面部（傾斜面部）１１２の上辺１１１ａまたは第２手摺部材２００の端部側面２１１の上辺２１１ａの鉛直方向の位置との差（段差）は、小さすぎると、第１手摺部材１００と第２手摺部材２００との段差が目立ちやすくなり、大きすぎると、意匠性が悪くなるので、１．０〜３．０ｍｍとするのがよい。また、それぞれの上辺の差だけでなく、両側面の辺（左辺および右辺）の段差、つまり、縦板部５０１の左辺（もしくは右辺）の水平方向の位置と、第１手摺部材１００の接続面部（傾斜面部）１１２の左辺（もしくは右辺）または第２手摺部材２００の端部側面２１１の左辺（もしくは右辺）の水平方向の位置との差（段差）についても、意匠性の観点から小さいことが好ましく、１．０〜３．０ｍｍとするのがよい。
【００３９】
位置調整治具５００は、縦板部５０１および横板部５０２を備える。縦板部５０１および横板部５０２の厚さは、図７および図８に示す例では、縦板部５０１が第１手摺部材１００の傾斜面部（接続面部）１１２に接続され、横板部５０２が第２手摺部材２００の端部側面２１１の下辺を含む第２水平下面２１４に接続されている。これにより、第１手摺部材１００の上面と第２手摺部材２００の上面との段差の調整が容易になる。図７および図８に示す例では、縦板部５０１が第１手摺部材１００の傾斜面部（接続面部）１１２に接続され、横板部５０２が第２手摺部材２００の端部側面２１１の下辺を含む第２水平下面２１４に接続されているが、縦板部５０１が第２手摺部材２００の端部側面２１１に接続され、横板部５０２が第１手摺部材１００の傾斜面部（接続面部）１１２の下辺を含む第１水平下面１１４に接続されている構成でもよい。また、縦板部５０１に設けられた貫通孔５０１ａ、５０１ｂ、横板部５０２に設けられた貫通孔（図示省略）にビスなどの締め付け具を挿入し、締め付けることにより、第１手摺部材１００と第２手摺部材２００とを固定する構成としてもよい。
【００４０】
なお、縦板部５０１および横板部５０２の厚さは、１．０〜５．０ｍｍであることが好ましい。薄すぎると段差の調整が困難となり、厚すぎると重くなり施工性が低下するからである。施工に際しては、手摺部材の縦板部５０１を接続する面（接続面部または端部側面）に、縦板部５０１の貫通孔（５０１ａ、５０１ｂ）に対応する位置に先孔を設けておくのがよい。これにより、固定位置の調整が容易となる。縦板部５０１または横板部５０２の貫通孔（特に横板部の貫通孔）は、縦方向または横方向に長い、長孔となっていてもよい。これにより、固定位置の微調整が容易になる。また、手摺部材の横板部５０２を接続する面（第２水平下面）には、横板部５０２の貫通孔に対応する位置に先孔を設けたり、鬼目ナットを埋め込むなどの方法でネジ孔を設けておくのがよい。
【００４１】
第２手摺部材２００の端部側面２１１の下辺を含む第２水平下面２１４は、位置調整治具５００を収容する切欠部２１４ａを備えることが好ましい。この構成により、位置調整治具５００の収まりが良くなる。
【００４２】
図７および図８では、傾斜面部１１２および第１水平上面１１３を有する構成の第１手摺部材と、水平部２１０ａおよび傾斜部２１０ｂと有する構成の第２手摺部材２００とを用いる場合を例にしている。なお、これらの図に示す例では、第１手摺部材１００も傾斜部１１０ｂを備える。この傾斜部１１０ｂの上面は、水平部２１０ａの上面（第２水平上面２１３）に対して傾斜している。そして、これらの図に示す例では、第１手摺部材１００の傾斜部１１０ｂ、ならびに、第２手摺部材２００の水平部２１０ａおよび傾斜部２１０ｂが順に接続されているため、階段のコーナー部において設置角度が異なる手摺の施工が可能となる。ただし、このような例に限定されない。
【００４３】
図９に示すように、他の実施形態に係る手摺４０１は、接続面部１１１および第１水平上面１１３を有する構成の第１手摺部材１００と、水平部２１０ａおよび傾斜部２１０ｂと有する構成の第２手摺部材２００とを用い、位置調整治具５００の縦板部５０１を接続面部１１１に接続し、横板部５０２を第２水平下面２１４の切欠部２１４ａに接続したものである。この例では、第２手摺部材２００が、水平部２１０ａおよび傾斜部２１０ｂを備えており、水平部２１０ａおよび傾斜部２１０ｂが順に接続されているため、階段のコーナー部において設置角度が異なる手摺の施工が可能となる。
【００４４】
図１０に示すように、他の実施形態に係る手摺４０２は、接続面部としての傾斜面部１１２および第１水平上面１１３を有する構成の第１手摺部材１００と、傾斜部を有しない構成の第２手摺部材２００とを用い、位置調整治具５００の縦板部５０１を接続面部としての傾斜面部１１２に接続し、横板部５０２を第２水平下面２１４の切欠部２１４ａに接続したものである。この例では、第２手摺部材２００が水平部２１０ａを備え、第１手摺部材１００が傾斜部１１０ｂを備えており、水平部２１０ａおよび傾斜部１１０ｂが順に接続されているため、階段のコーナー部において設置角度が異なる手摺の施工が可能となる。
【００４５】
図１１に示すのは、図１０に示す第１手摺部材の上下を反転させて接続した例である。すなわち、図１０に示す例では、図２の手摺部材１０において外側平面部１３ｂが第１水平上面１１３となるように設置した例であるが、図１１に示す例では、図２の手摺部材１０において外側平面部１３ｂが第１水平下面１１４となるように設置した例である。図１１に示すように、他の実施形態に係る手摺４０３は、接続面部としての傾斜面部１１２および第１水平下面１１４を有する構成の第１手摺部材１００と、傾斜部を有しない構成の第２手摺部材２００とを用い、位置調整治具５００の縦板部５０１を接続面部としての傾斜面部１１２に接続し、横板部５０２を第２水平下面２１４の切欠部２１４ａに接続したものである。この例では、第２手摺部材２００が水平部２１０ａを備え、第１手摺部材１００が傾斜部１１０ｂを備えており、水平部２１０ａおよび傾斜部１１０ｂが順に接続されているため、階段のコーナー部において設置角度が異なる手摺の施工が可能となる。
【００４６】
図１２に示すのは、図８に示す第１手摺部材および第２手摺部材の上下を反転させて接続した例である。すなわち、図８に示す例では、第１手摺部材１００として、図２の手摺部材１０において外側平面部１３ｂが第１水平上面１１３となるように設置した例であるが、図１２に示す例では、第１手摺部材１００として、図２の手摺部材１０において外側平面部１３ｂが第１水平下面１１４となるように設置した例である。また、図８に示す例では、第２手摺部材２００として、水平部２１０ａに対して傾斜部２１０ｂを上向きに配置した例であるが、図１２に示す例では、第２手摺部材２００として、水平部２１０ａに対して傾斜部２１０ｂを下向きに配置した例である。図１２に示すように、他の実施形態に係る手摺４０４は、接続面部としての傾斜面部１１２および第１水平下面１１４を有する構成の第１手摺部材１００と、水平部２１０ａおよび傾斜部２１０ｂと有する構成の第２手摺部材２００とを用い、位置調整治具５００の縦板部５０１を接続面部としての傾斜面部１１２に接続し、横板部５０２を第２水平下面２１４の切欠部２１４ａに接続したものである。この例では、第２手摺部材２００が水平部２１０ａおよび傾斜部２１０ｂを備え、第１手摺部材１００が傾斜部１１０ｂを備えており、傾斜部２１０ｂ、水平部２１０ａおよび傾斜部１１０ｂが順に接続されているため、階段のコーナー部において設置角度が異なる手摺の施工が可能となる。
【００４７】
図１３に示すのは、図９に示す第２手摺部材の上下を反転させて接続した例である。すなわち、図９に示す例では、第２手摺部材２００として、水平部２１０ａに対して傾斜部２１０ｂを上向きに配置した例であるが、図１３に示す例では、第２手摺部材２００として、水平部２１０ａに対して傾斜部２１０ｂを下向きに配置した例である。図１３に示すように、他の実施形態に係る手摺４０５は、接続面部１１１を有する構成の第１手摺部材１００と、水平部２１０ａおよび傾斜部２１０ｂと有する構成の第２手摺部材２００とを用い、位置調整治具５００の縦板部５０１を接続面部１１１に接続し、横板部５０２を第２水平下面２１４の切欠部２１４ａに接続したものである。この例では、第２手摺部材２００が水平部２１０ａおよび傾斜部２１０ｂを備えており、傾斜部２１０ｂおよび水平部２１０ａが順に接続されているため、階段のコーナー部において設置角度が異なる手摺の施工が可能となる。
【００４８】
図７〜１３に示すいずれの例においても、第１手摺部材１００の接続面部１１１と、第２手摺部材２００の端部側面２１１とが対向するように配置し、第１手摺部材１００の接続面部１１１の上辺１１１ａと、第２手摺部材２００の端部側面２１１の上辺２１１ａとが略平行であり、鉛直方向の位置が略同一となるように配置しているので、容易に施工可能であり、接続面を露出させることがなく、また、第１手摺部材１００の上面と第２手摺部材２００の上面とに段差がほとんどないため、意匠性が極めて優れている。そして、位置調整治具５００を用いることにより、第１手摺部材１００の上面と第２手摺部材２００の上面との段差の調整が容易になる。
【００４９】
なお、図７〜１３では、主として、第１手摺部材１００の接続面部１１１に縦板部５０１を接続し、第２手摺部材２００の端部側面２１１の下辺を含む第２水平下面２１４に横板部５０２を接続する例を説明したが、第２手摺部材２００の端部側面２１１に縦板部５０１を接続し、第１手摺部材１００の接続面部１１１の下辺を含む第１水平下面１１４に横板部５０２を接続してもよい。また、Ｌ型の位置調整治具５００を用いる例について説明したが、例えば、図１４に示すように、逆Ｔ型の位置調整治具５００ａを用いてもよい。
【００５０】
３．本実施形態に係る手摺部材の製造方法
本実施形態に係る手摺を製造する際には、下記（ａ）または（ｂ）に示す方法により製造することができる。
（ａ）縦板部５０１を、第１手摺部材１００の接続面部１１１（接続面部としての傾斜面部１１２）に固定するステップ、および、横板部５０２を、第２手摺部材２００の端部側面２１１の下辺を含む第２水平下面に固定するステップを備える方法。
（ｂ）縦板部５０１を、第２手摺部材２００の端部側面２１１に固定するステップ、および、横板部５０２を、第１手摺部材１００の接続面部１１１の下辺を含む第１水平下面１１４に固定するステップを備える方法。
【００５１】
これにより、第１手摺部材１００の接続面部１１１と、第２手摺部材２００の端部側面２１１とが対向するように配置し、第１手摺部材１００の接続面部１１１の上辺１１１ａと、第２手摺部材２００の端部側面２１１の上辺２１１ａとが略平行であり、鉛直方向の位置が略同一となるように配置しやすい。
【産業上の利用可能性】
【００５２】
本発明の手摺によれば、それに用いられる手摺部材のプレカットによる製造が容易で、かつ階段のコーナー部において設置角度が異なる手摺部材同士の接続が容易である。このため、この手摺部材を用いれば、意匠性に優れる手摺を容易に施工することができる。
【符号の説明】
【００５３】
１０  手摺部材
１１  棒状本体部
１１ａ  内側面
１１ｂ  外側面
１２、１３  端部
１２ａ、１３ａ  接続面部
１３ｂ  外側平面部
１００  第１手摺部材
１１０  棒状本体部
１１０ｂ  傾斜部
１１１  接続面部
１１１ａ  接続面部１１１の上辺
１１２  傾斜面部（接続面部）
１１３  第１水平上面
１１４  第１水平下面
２００  第２手摺部材
２１０  棒状本体部
２１０ａ  水平部
２１０ｂ  傾斜部
２１１  端部側面
２１１ａ  端部側面２１１の上辺
２１３  第２水平上面
２１４  第２水平下面
２１４ａ  切欠部
３００  本実施形態に係る手摺
４００〜４０６  他の実施形態に係る手摺
５００  位置調整治具
５０１  縦板部
５０２  横板部
Ｓ    スタート用手摺部材  
Ｃ    中間手摺部材
ＣＳ  手摺部材
Ｅ    エンド用手摺部材
【図１】
2019007243.tif 000003
【図２】
2019007243.tif 000004
【図３】
2019007243.tif 000005
【図４】
2019007243.tif 000006
【図５】
2019007243.tif 000007
【図６】
2019007243.tif 000008
【図７】
2019007243.tif 000009
【図８】
2019007243.tif 000010
【図９】
2019007243.tif 000011
【図１０】
2019007243.tif 000012
【図１１】
2019007243.tif 000013
【図１２】
2019007243.tif 000014
【図１３】
2019007243.tif 000015
【図１４】
2019007243.tif 000016